(57)【特許請求の範囲】
【請求項１】
表壁と、表壁に間隔をおいて対向する裏壁と、表壁および裏壁との間に中空部を形成する周囲壁とで構成される中空二重壁構造体であって、中空部内には棒状補強部材が配設されるとともに、裏壁の棒状補強部材の端部に対応する部位には棒状補強部材を中空二重壁構造体に保持する保持部材を有しており、この保持部材は棒状補強部材に対する中空二重構造体の変形歪を吸収する機能を備えていることを特徴とする中空二重壁構造体。
【請求項２】
棒状補強部材の周囲は、少なくとも裏壁と一体に連なる包囲壁で包囲されていることを特徴とする請求項１記載の中空二重壁構造体。
【請求項３】
棒状補強部材の周囲を包囲する包囲壁は、裏壁の表面側に棒状補強部材の一部を露出する溝部を有していることを特徴とする請求項２記載の中空二重壁構造体。
【請求項４】
棒状補強部材を中空二重壁構造体に保持する保持部材は、棒状補強部材をスライド自在に嵌挿支持する構成、あるいは変形歪を吸収する材料で構成されていることを特徴とする請求項１、２または３記載の中空二重壁構造体。
【請求項５】
表壁と、表壁に間隔をおいて対向する裏壁と、表壁および裏壁との間に中空部を形成する周囲壁とで構成される中空二重壁構造体をブロー成形する方法であって、一対の分割金型のうち裏壁を形成する金型のキャビティに、両端に保持部材を装着した棒状補強部材をインサートしてブロー成形することを特徴とする中空二重壁構造体の製造方法。
【請求項６】
裏壁を形成する金型のキャビティに、保持部材の嵌合保持機構を備えており、棒状補強部材の両端に装着した保持部材を上記金型のキャブティに嵌合保持することを特徴とする請求項５記載の中空二重壁構造体の製造方法。
【請求項７】
保持部材は棒状補強部材をスライド自在に支持する構成であり、保持部材は棒状補強体の位置決め構造を有していることを特徴とする請求項６記載の中空二重壁構造体の製造方法。
【発明の詳細な説明】
【０００１】
【発明の属する技術分野】
本発明は、熱可塑性プラスチックをブロー成形することにより得られる中空二重壁構造体、およびその製造方法に関する。
【０００２】
【従来の技術】
従来から、建築物の内装壁、パーティション、扉、あるいは自動車のフロアトランクリッドやリヤーパーセルシュエルフなどを構成するプラスチック製の中空二重壁構造体において、中空部内に形成するインナーリブに平板状でかつ曲面状の棒状体をインサートすることにより、強度および剛性を向上させる技術は、特開平９−１５５９５７号公報に記載されている。
【０００３】
【発明が解決しようとする課題】
前掲の特開平９−１５５９５７号公報に記載されている技術は、本出願人が開発したものであるが、その後の検討の結果、主にブロー成形上、次のような問題点のあることが分かった。
【０００４】
すなわち、特開平９−１５５９５７号公報に記載されている技術においては、ブロー成形される中空二重壁構造体にインサートされる棒状体が金属製であって冷却時に生じる樹脂との収縮差が２％以上と大きいので、例えば、長さが８００ｍｍの棒状体を中空二重壁構造体にインサートすると、冷却時に両端で１６ｍｍ以上の収縮差が発生し、この収縮差により、中空二重壁構造体が変形したり破損したりすることである。
【０００５】
そこで、本発明は、上述のような課題を解決しようとするものであって、中空部内に配設する棒状補強体を、その両端を棒状補強部材に対する中空二重構造体の変形歪を吸収する機能を備えた保持部材を介して中空二重壁構造体に保持することにより、ブロー成形後において中空二重壁構造体が冷却収縮する過程で、棒状補強体に対する変形歪を保持部材で吸収することができ、金属製の棒状補強部材をインサートすることにより強度および剛性の向上を図ったものであっても成形後の冷却収縮による変形歪みを生じない中空二重壁構造体、およびその製造方法を提供することを目的とするものである。
【０００６】
【課題を解決するための手段】
上記目的を達成するため、本発明に係る中空二重壁構造体は、表壁と、表壁に間隔をおいて対向する裏壁と、表壁および裏壁との間に中空部を形成する周囲壁とで構成される中空二重壁構造体であって、中空部内には棒状補強部材が配設されるとともに、裏壁の棒状補強部材の端部に対応する部位には棒状補強部材を中空二重壁構造体に保持する保持部材を有しており、この保持部材は棒状補強部材に対する中空二重構造体の変形歪を吸収する機能を備えていることを特徴とするものである。
【０００７】
本発明に係る中空二重壁構造体においては、それぞれ次のように構成するのが好適である。すなわち、棒状補強部材の周囲は、少なくとも裏壁と一体に連なる包囲壁で包囲されていること、棒状補強部材の周囲を包囲する包囲壁は、裏壁の表面側に棒状補強部材の一部を露出する溝部を有していること、棒状補強部材を中空二重壁構造体に保持する保持部材は、棒状補強部材をスライド自在に嵌挿支持する構成、あるいは変形歪を吸収する材料で構成されていることである。
【０００８】
また、本発明に係る中空二重壁構造体の製造方法は、表壁と、表壁に間隔をおいて対向する裏壁と、表壁および裏壁との間に中空部を形成する周囲壁とで構成される中空二重壁構造体をブロー成形する方法であって、一対の分割金型のうち裏壁を形成する金型のキャビティに、両端に保持部材を装着した棒状補強部材をインサートしてブロー成形することを特徴とする。
【０００９】
本発明に係る中空二重壁構造体の製造方法においては、それぞれ次のような手段をとることが好適である。すなわち、裏壁を形成する金型のキャビティに、保持部材の嵌合保持機構を備えており、棒状補強部材の両端に装着した保持部材を上記金型のキャビティに嵌合保持すること、保持部材は棒状補強部材をスライド自在に支持する構成であり、保持部材は棒状補強体の位置決め構造を有していることである。
【００１０】
【発明の実施の形態】
図１ないし図４は本発明の一実施の形態に係る中空二重壁構造体を示し、図１は裏面側から見た斜視図、図２は図１の一部の拡大断面図、図３は保持部材の側面図、図４は図３に示す保持部材の正面図である。
【００１１】
図５は本発明の他の実施の形態に係る図２に対応する部分の拡大断面図、図６は図５の一部の斜視図である。
【００１２】
図７ないし図１１は本発明の一実施の形態に係る中空二重壁構造体のブロー成形態様を示し、図７は型閉前の態様を示す断面図、図８は図７の破線円内の拡大断面図、図９は冷却後の態様を示す図７の破線円内の拡大断面図、図１０は図８のＡ−Ａ線断面図、図１１は図８のＢ−Ｂ線断面図である。
【００１３】
図１において、１は中空二重壁構造体である。この中空二重壁構造体１はパネル状を成しており、２は表壁、３は裏壁、４は周囲壁であって、図２に示すように、表壁２に対して裏壁３は間隔をおいて対向しており、周囲壁４によって表壁２および裏壁３との間に中空部５が形成されている。
【００１４】
上記中空二重壁構造体１の中空部５内には、金属製パイプの棒状補強部材６が配設されるとともに、この棒状補強部材６は裏壁３と一体に連なる包囲壁７でその周面が包囲されている。
【００１５】
図１に示すように、棒状補強部材６の両端にはそれに対応して保持部材８，８が設けられており、棒状補強部材６の両端は保持部材８，８を介して包囲壁７に保持されている。
【００１６】
上記保持部材８は、図２ないし図４に示すように、発泡材により構成されており、その一端には棒状補強部材７に嵌挿する嵌挿突部９を有し、かつ裏壁４側には嵌合溝１０を有している。この嵌合溝１０は、後述するようにブロー成形の分割金型のうち裏壁３を成形する金型のキャビティに嵌合保持するためのものである。
【００１７】
上記保持部材８は、発泡材で構成されていて変形自在のものであるから、棒状補強部材６に対する中空二重構造体１の変形歪を吸収する機能を備えている。保持部材８を構成する発泡材は、発泡ウレタン等である。
【００１８】
図５および図６には、本発明の他の実施の形態が示されている。この実施の形態においては、保持部材８が棒状補強部材６をスライド自在に嵌挿支持するする構成のものである。すなわち、１１は棒状補強部材６の嵌挿穴部であり、棒状補強部材６はこの嵌挿穴部１１に嵌挿され、長手方向にスライド自在に支持される。上記保持部材８には、後述するようにブロー成形の分割金型のうち裏壁３を成形する金型のキャビティに嵌合保持する嵌合溝１０が、さらに、包囲壁７に埋め込まれる埋込突条１２，１２を有している。
【００１９】
この実施の形態においては、保持部材８に対して棒状補強部材６がスライド自在であるから、両保持部材８，８間の棒状補強部材６の有効長が変化することにより、棒状補強部材６に対する中空二重構造体１の変形歪を吸収する機能を備えている。
【００２０】
図５に示す実施の形態では、包囲壁７の裏壁３側に、棒状補強部材６の周面の一部を外部に露出させる溝部１２が形成されている。
【００２１】
本発明に係る中空二重壁構造体１は、ＡＢＳ樹脂、変性ポリフェニレンオキサイド樹脂、ポリカーボネート樹脂、ポリアミド樹脂、ポリプロピレン樹脂、ポリエチレン樹脂等、ブロー成形可能な熱可塑性樹脂で構成される。また、棒状補強部材６は金属製やエンジニアリングプラスチックなどの剛性の高い樹脂などにより構成されるものであり、必要に応じて表面の滑り性を良くするため、メッキなどの表面処理を施すものとする。
【００２２】
本発明に係る中空二重壁構造体１は、図７ないし図１１に示すようにブロー成形される。図７に示すように、１３は表壁２を成形する一方の分割金型、１４は裏壁３を成形する他方の分割金型であり、他方の分割金型１４のキャビティ１５には棒状補強部材６の両端に嵌装した保持部材８，８が嵌合保持され、棒状補強部材６とその両端の保持部材８，８がインサートされる。図６において１６は押出ダイ、１７はパリソンである。
【００２３】
図７に示すブロー成形態様により、図１ないし図４に示す中空二重壁構造体１がブロー成形されるが、ブロー成形後の冷却により、金属製の棒状補強部材６に対して中空二重壁構造体１が大きく収縮しても、その収縮歪は発泡材からなる保持部材８，８の変形、またはスライド自在に嵌挿支持されている棒状補強部材６の有効長の変化によって吸収され、中空二重壁構造体１には冷却収縮による変形歪みが生じない。
【００２４】
また、図５に示すように、裏壁３側に棒状補強部材６の周面の一部を外部に露出させる溝部１２が形成されているものでは、中空二重壁構造体１の廃棄時に、中空二重壁構造体１に棒状補強材６がインサートされていることを容易に認識でき、その分別を確実かつ容易にできる。その際、溝部１２に割道具を噛ませることにより、中空二重壁構造体１を簡単に割ることができるので、分別作業がいっそう容易である。
【００２５】
図８および図９に示すように、棒状補強部材６がスライド自在に嵌挿支持する構成の保持部材８においては、嵌挿穴部１１内の奥面に、棒状補強部材６の位置決めのための弾性針状体１８を立設してある。棒状補強部材６はその両端に保持部材８，８を嵌挿すると弾性針状体１８に仮に支持されて位置決めが成され、この状態で他方の分割金型１４のキャビティ１５にインサートされる。したがって、ブロー成形時に棒状補強部材６および保持部材８，８が位置ずれを起こすことがない。
【００２６】
上記弾性針状体１８は、細い弾性体であるから、ブロー成形後の冷却により棒状補強部材６に対して中空二重壁構造体１が収縮すると、図９に示すように、弾性針状体１８が容易に屈曲するので、冷却収縮にともなう歪みの吸収に何ら支障が生じない。
【００２７】
【発明の効果】
本発明によれば、中空部内に配設する棒状補強体を、その両端を棒状補強部材に対する中空二重構造体の変形歪を吸収する機能を備えた保持部材を介して中空二重壁構造体に保持することにより、ブロー成形後において中空二重壁構造体が冷却収縮する過程で、棒状補強体に対する変形歪を保持部材で吸収することができ、金属製の棒状補強部材をインサートすることにより強度および剛性の向上を図ったものであっても成形後の冷却収縮による変形歪みを生じない中空二重壁構造体、およびその製造方法を提供することができる。
【図面の簡単な説明】
【図１】本発明の一実施の形態に係る中空二重壁構造体を裏面側から見た斜視図である。
【図２】図１の一部の拡大断面図である。
【図３】保持部材の側面図である。
【図４】図３に示す保持部材の正面図である。
【図５】本発明の他の実施の形態に係る図２に対応する部分の拡大断面図である。
【図６】図５の一部の斜視図である。
【図７】本発明の一実施の形態に係る中空二重壁構造体のブロー成形態様を示し、型閉め前の態様を示す断面図である。
【図８】図７の破線円内の拡大断面図である。
【図９】冷却後の態様を示す図７の破線円内の拡大断面図である。
【図１０】図８のＡ−Ａ線断面図である。
【図１１】図８のＢ−Ｂ線断面図である。
【符号の説明】
１  中空二重壁構造体
２  表壁
３  裏壁
４  周囲壁
５  中空部
６  棒状補強部材
７  包囲壁
８，８  保持部材
９  嵌挿突部
１０  嵌合溝
１１  嵌挿穴部
１２，１２  埋込突条
１３  一方の分割金型
１４  他方の分割金型
１５  キャビティ
１６  押出ダイ
１７  パリソン
１８  弾性針状体
【図１】
0003680196.tif 000002
【図２】
0003680196.tif 000003
【図３】
0003680196.tif 000004
【図４】
0003680196.tif 000005
【図５】
0003680196.tif 000006
【図６】
0003680196.tif 000007
【図７】
0003680196.tif 000008
【図８】
0003680196.tif 000009
【図９】
0003680196.tif 000010
【図１０】
0003680196.tif 000011
【図１１】
0003680196.tif 000012